(57)【要約】【課題】掃除機本体の雑菌が繁殖しやすい部分での雑菌の繁殖を十分に防止することができ、掃除機本体を常に清潔に保つことができるとともに、掃除機本体から発生する悪臭を十分に抑制することができる電気掃除機の提供。【解決手段】電動送風機を内蔵する電動送風機室と、電動送風機室の上流に設けられており、塵埃を捕集する集塵部を内蔵する集塵室と、を有する掃除機本体と、掃除機本体に設けられており、ラジカル成分を含む帯電微粒子水を生成する静電霧化ユニットと、を備え、静電霧化ユニットは、電動送風機室内に帯電微粒子水を放出させる位置に配置されている電気掃除機。【選択図】図１
2011234999.tif 000002
【特許請求の範囲】
【請求項１】
吸引風を発生させる電動送風機を内蔵する電動送風機室と、前記電動送風機室の上流に設けられており、前記吸引風により吸引された塵埃を捕集する集塵部を内蔵する集塵室と、を有する掃除機本体と、
前記掃除機本体に設けられており、ラジカル成分を含む帯電微粒子水を生成する静電霧化ユニットと、
を備え、
前記静電霧化ユニットは、前記電動送風機室内に前記帯電微粒子水を放出させる位置に配置されている電気掃除機。
【請求項２】
前記電動送風機室の下流には、前記電動送風機から発生した排気をろ過する排気フィルターが設けられている請求項１に記載の電気掃除機。
【請求項３】
前記掃除機本体の底面には、前記電動送風機室と連通するとともに前記帯電微粒子水を放出させる放出口が設けられている請求項１または２に記載の電気掃除機。
【請求項４】
前記掃除機本体には、床面と接するローラーが設けられており、
前記ローラーの近傍には、前記電動送風機室と連通するとともに前記帯電微粒子水を放出させる放出口が設けられている請求項１〜３のうちの何れか１項に記載の電気掃除機。
【請求項５】
前記掃除機本体に連通するとともに、床面の塵埃を吸引する吸込具と、
前記掃除機本体に設けられており、前記吸込具の非使用時に前記吸込具を前記掃除機本体に係止させる係止部と、を有し、
前記掃除機本体には、前記電動送風機室と連通するとともに前記帯電微粒子水を放出させる放出口が設けられており、
前記放出口は、前記吸込具が前記係止部に係止されている状態において、前記吸込具に前記帯電微粒子水が放出される位置に設けられている請求項１〜４のうちの何れか１項に記載の電気掃除機。
【発明の詳細な説明】
【技術分野】
【０００１】
本発明は、電気掃除機に関し、特に帯電微粒子水を発生させる静電霧化ユニットを搭載した電気掃除機に関する。
【背景技術】
【０００２】
従来の電気掃除機においては、電動送風機の排気中に含まれる集塵装置を通過した真菌類や細菌類を捕集し、殺菌及び／または死滅、もしくは増殖を防止するべく、電動送風機の下流側に殺菌及び／または抗菌機能を有するフィルターを配置する構成が提案されている（例えば、特許文献１参照）。
【０００３】
このような従来の電気掃除機としては、例えば、図５に示す構成を有する電気掃除機が提案されている。
【０００４】
図５に示すように、掃除機本体１００は、主として、吸引風を発生させる電動送風機１１３を内蔵する電動送風機室１１４と、集塵袋１１９を内蔵する集塵室１１８とから構成されている。電動送風機１１３の後方には通気口１２５が設けられており、電動送風機１１３から排出された空気流（排気風）は全て通気口１２５に集められるように構成されている。
【０００５】
通気口１２５には、微細塵フィルター１２８が設けられており、この微細塵フィルター１２８は、静電フィルター内層１２９とそれを覆う殺菌フィルター外層１３０とからなる二重構造とされている。静電フィルター内層１２９は、直径２０〜３０μｍのポリプロピレン繊維の如き合成樹脂で形成した不織布からなり、繊維自体に静電気力が帯電されている。また、殺菌フィルター外層１３０は、ポリエステル繊維、レーヨン繊維等で形成した不織布からなり、各繊維上に殺菌剤および／または抗菌剤の溶液を付着乾燥させ、固着させている。
【０００６】
以上の構成において、電動送風機１１３の排気風に含まれる集塵袋１１９を通過した真菌類や細菌類は、電動送風機１１３の後方に設けられた微細塵フィルター１２８の静電フィルター内層１２９によって一度捕集され、時には、この中で繁殖した真菌類や細菌類は殺菌フィルター外層１３０中の殺菌剤および／または抗菌剤と接触して繁殖が防止され、死滅せしめられる。
【先行技術文献】
【特許文献】
【０００７】
【特許文献１】特開昭６２−５３６２４号公報
【発明の概要】
【発明が解決しようとする課題】
【０００８】
しかしながら、上記従来の電気掃除機においては、掃除機本体を十分に清潔に保つという観点からは未だ改善の余地があった。
【０００９】
一般的に、電動送風機の外周には、フィルターや防音材が設けられており、このフィルターや防音材においても、電動送風機の排気風に含まれる集塵袋を通過した真菌類や細菌類が繁殖しやすい。また、電動送風機は発熱部品であるため、電動送風機の近傍及び電動送風機室内は、掃除機本体の他の部分に比べ温度が高くなっている。そのため、電動送風機の近傍及び電動送風機室内は、真菌類や細菌類が繁殖しやすい環境となっている。
【００１０】
上記従来の電気掃除機においては、電動送風機の後方に設けた殺菌及び／または抗菌機能を有する微細塵フィルターにより真菌類や細菌類の繁殖を防止し、死滅せしめる構成であるため、電動送風機の近傍及び電動送風機室での真菌類や細菌類の繁殖を防止することができず、掃除機本体を十分に清潔に保つことができない場合があった。
【００１１】
本発明は、上記従来技術の有する課題に鑑みてなされたものであり、掃除機本体の雑菌が繁殖しやすい部分での雑菌の繁殖を十分に防止することができ、掃除機本体を常に清潔に保つことができるとともに、掃除機本体から発生する悪臭を十分に抑制することができる電気掃除機を提供することを目的とする。
【課題を解決するための手段】
【００１２】
上記従来技術の有する課題を解決するために、本発明は、吸引風を発生させる電動送風機を内蔵する電動送風機室と、電動送風機室の上流に設けられており、吸引風により吸引された塵埃を捕集する集塵部を内蔵する集塵室と、を有する掃除機本体と、掃除機本体に設けられており、ラジカル成分を含む帯電微粒子水を生成する静電霧化ユニットと、を備え、静電霧化ユニットは、電動送風機室内に帯電微粒子水を放出させる位置に配置されている電気掃除機を提供する。
【００１３】
これにより、静電霧化ユニットにより発生された帯電微粒子水により、真菌類や細菌類が繁殖しやすい電動送風機の近傍及び電動送風機室での真菌類や細菌類の繁殖を防止することができ、掃除機本体を常に清潔に保つことができるとともに、掃除機本体から発生する悪臭を十分に抑制することができる。
【発明の効果】
【００１４】
本発明の電気掃除機によれば、真菌類や細菌類が繁殖しやすい電動送風機の近傍及び電動送風機室での真菌類や細菌類の繁殖を防止することができ、掃除機本体を常に清潔に保つことができるとともに、掃除機本体から発生する悪臭を十分に抑制することができる。
【図面の簡単な説明】
【００１５】
【図１】本発明の電気掃除機の実施の形態１における掃除機本体の内部構成図
【図２】本発明の電気掃除機の実施の形態１における掃除機本体の底面図
【図３】本発明の電気掃除機の実施の形態１における吸込具の収納状態図
【図４】本発明の電気掃除機の実施の形態１における静電霧化ユニットの構成図
【図５】従来の電気掃除機の掃除機本体の内部構成図
【発明を実施するための形態】
【００１６】
第１の発明は、吸引風を発生させる電動送風機を内蔵する電動送風機室と、電動送風機室の上流に設けられており、吸引風により吸引された塵埃を捕集する集塵部を内蔵する集塵室と、を有する掃除機本体と、掃除機本体に設けられており、ラジカル成分を含む帯電微粒子水を生成する静電霧化ユニットと、を備え、静電霧化ユニットは、電動送風機室内に帯電微粒子水を放出させる位置に配置されている電気掃除機を提供する。
【００１７】
これにより、静電霧化ユニットにより発生された帯電微粒子水により、真菌類や細菌類が繁殖しやすい電動送風機の近傍及び電動送風機室での真菌類や細菌類の繁殖を防止することができ、掃除機本体を常に清潔に保つことができるとともに、掃除機本体から発生する悪臭を十分に抑制することができる。
【００１８】
第２の発明は、特に第１の発明において、電動送風機室の下流には、電動送風機から発生した排気をろ過する排気フィルターが設けられているものである。
【００１９】
これにより、集塵袋を透過した雑菌が付着しやすく、外観に露出されることが多く、使用者の手が触れやすい排気フィルターが静電霧化ユニットにより発生された帯電微粒子水に晒されるため、排気フィルターでの雑菌の繁殖抑制や脱臭が可能となり、衛生的となる。
【００２０】
第３の発明は、特に第１または第２の発明において、掃除機本体の底面には、電動送風機室と連通するとともに帯電微粒子水を放出させる放出口が設けられているものである。
【００２１】
これにより、毛足の長い絨毯などが接し汚れやすい上に収納や運搬時に使用者の手が触れやすい掃除機本体の底面が静電霧化ユニットにより発生された帯電微粒子水に晒されるため、掃除機本体の底面での雑菌の繁殖抑制や脱臭が可能となり、衛生的となる。
【００２２】
第４の発明は、特に第１〜第３の発明において、掃除機本体には、床面と接するローラーが設けられており、ローラーの近傍には、電動送風機室と連通するとともに帯電微粒子水を放出させる放出口が設けられているものである。
【００２３】
これにより、常に床面と接し汚れやすい上に収納や運搬時に手の触れやすいローラーが静電霧化ユニットにより発生された帯電微粒子水に晒されるため、ローラー及びローラーの近傍での雑菌の繁殖抑制や脱臭が可能となり、衛生的となる。
【００２４】
第５の発明は、特に第１〜第４の発明において、掃除機本体に連通するとともに、床面の塵埃を吸引する吸込具と、掃除機本体に設けられており、吸込具の非使用時に吸込具を掃除機本体に係止させる係止部と、を有し、掃除機本体には、電動送風機室と連通するとともに帯電微粒子水を放出させる放出口が設けられており、放出口は、吸込具が係止部に係止されている状態において、吸込具に帯電微粒子水が放出される位置に設けられているものである。
【００２５】
これにより、常に床面と接し、掃除機全体の中で最も汚れやすい部分の１つである吸込具が、吸込具の非使用時に掃除機本体に係止されている状態において、静電霧化ユニットにより発生された帯電微粒子水に晒されるため、吸込具での雑菌の繁殖抑制や脱臭が可能となり、衛生的となる。
【００２６】
以下、図面を参照しながら本発明の電気掃除機の好適な実施形態について詳細に説明する。なお、以下の説明では、同一または相当部分には同一符号を付し、重複する説明は省略する。
【００２７】
（実施の形態１）
本発明の実施の形態１について、図１〜図４を用いて説明する。
【００２８】
図１は、本発明の電気掃除機の実施の形態１における掃除機本体の内部構成図である。また、図２は、本発明の電気掃除機の実施の形態１における掃除機本体の底面図である。さらに、図３は、本発明の電気掃除機の実施の形態１における吸込具の収納状態図である。また、図４は、本発明の電気掃除機の実施の形態１における静電霧化ユニットの構成図である。
【００２９】
図１に示すように、掃除機本体１は、主として、掃除機本体１の後方に設けられており、吸引風を発生する電動送風機２を内蔵する電動送風機室３と、電動送風機２の前方の負圧側に設けられており、吸引風によって吸い込まれた塵埃８を捕集する集塵袋７を内蔵する集塵室５とから構成されている。電動送風機２の排気風１０は、掃除機本体１の後部に
設けられた排気フィルター４１を通過し、掃除機本体１の外部へと放出される。
【００３０】
掃除機本体１の上部には、カバー３０が設けられており、このカバー３０と掃除機本体１とにより、冷却室６が形成されている。この冷却室６内には、制御基板２８と、後述する静電霧化ユニット２１の放熱フィン２２が配置されている。
【００３１】
集塵室５には、掃除機本体１の前方に設けられており、集塵室５と連通する吸引口１１が設けられている。
【００３２】
静電霧化ユニット２１は、放電電極２４が電動送風機室３内に露出するとともに放熱フィン２２が冷却室６内に露出するように、電動送風機室３の上部に配置されている。
【００３３】
図１及び図２に示すように、掃除機本体１の底面には、電動送風機室３と連通するとともに静電霧化ユニット２１で発生させた帯電微粒子水２０を掃除機本体１の外部へと放出させる放出口４２が設けられている。
【００３４】
図２及び図３に示すように、掃除機本体１の底面には吸込具４５の非使用時に吸込具４５を掃除機本体１に係止させる係止部４６が設けられており、掃除機本体１を起こした状態で吸込具４５を係止部４６に掛けると吸込具４５の底面が放出口４２に対面する位置となるように係止部４６が構成されている。
【００３５】
図４に示すように、静電霧化ユニット２１は、主として、ペルチェ素子２３と、ペルチェ素子２３の発熱側に設けられた放熱フィン２２と、ペルチェ素子２３の冷却側に設けられた放電電極２４とにより構成されており、放電電極２４には高電圧が印加される構成となっている。
【００３６】
以上のように構成された電気掃除機について、以下その動作、作用を説明する。
【００３７】
まず、使用者が、掃除機本体１を運転すると、電動送風機２により吸引風が発生され、掃除機本体１の吸引口１１から集塵袋７内に塵埃８が吸込まれる。吸込まれた塵埃８は、集塵袋７によって捕集される。電動送風機２の排気風１０は、掃除機本体１の後部に設けられた排気フィルター４１を通過し、掃除機本体１の外部に排出される。
【００３８】
次に、使用者が、掃除機本体１の運転を停止し、静電霧化ユニット２１を動作させることで、ペルチェ素子２３が通電される。ペルチェ素子２３に通電されることにより、ペルチェ素子２３の冷却側に接続されている放電電極２４が冷却されるとともに、ペルチェ素子２３の発熱側に接続されている放熱フィン２２により、ペルチェ素子２３で発生する熱が放熱される。放電電極２４の温度が外気の露点以下に達すると、放電電極２４の表面に結露水２７が生じる。放電電極２４には高電圧が印加されており、これにより結露水２７から帯電微粒子水２０が生成される。
【００３９】
掃除機本体１の運転停止後しばらくは電動送風機２から発生する熱により、掃除機本体１内部は高温となっている。効果的に帯電微粒子水２０を発生させるためには放熱フィン２２を充分冷却することが必要なため、電動送風機２から排気フィルター４１までの風路とは隔離された冷却室６を構成し、その中に放熱フィン２２および制御基板２８を配置している。なお、冷却室６を換気するファンを搭載することで、放熱フィン２２や制御基板２８をより効果的に冷却することも可能となる。
【００４０】
静電霧化ユニット２１により生成された帯電微粒子水２０は、電動送風機室３及び電動送風機室３と排気フィルター４１との間に充満し、電動送風機２の近傍、電動送風機室３
の内部及び排気フィルター４１に付着した雑菌や悪臭を除菌・脱臭する。また、帯電微粒子水２０は浸透性が良いため、排気フィルター４１の外側表面にも浸透し、排気フィルター４１の内外両面に対して除菌・脱臭効果を与える。
【００４１】
電動送風機室３の内部に充満した帯電微粒子水２０の一部は、放出口４２から掃除機本体１底面に放出され、床面４４と掃除機本体１との間の空間にも帯電微粒子水２０が充満し、掃除機本体１の底面や、底面前方のキャスターローラー４７、底面後方両側のローラー４３に付着した雑菌に対しても除菌・脱臭効果を与える。
【００４２】
また、掃除機本体１の非使用時においては、掃除機本体１を起こし排気フィルター４１が底面になるように立てることで、掃除機本体１の底面に設けられた係止部４６に吸込具４５を係止可能となる。掃除機本体１を起こし、吸込具４５を係止部４６に係止した状態では放出口４２から放出される帯電微粒子水２０により吸込具４５の底面に付着した雑菌の繁殖が抑制され除菌・脱臭が可能となり、吸込具４５を常に清浄な状態に保つことが可能となる。
【００４３】
以上のように、本実施の形態においては、帯電微粒子水２０を電動送風機室３及び電動送風機室３と排気フィルター４１との間に充満させ、排気フィルター４１や放出口４２を通じて外部へ放出させることで、電動送風機２の近傍、電動送風機室３の内部、排気フィルター４１、ローラー４３とキャスターローラー４７および掃除機本体１の底面に付着した雑菌の繁殖を抑制し、除菌・脱臭が可能となり、衛生的な電気掃除機とすることができる。
【産業上の利用可能性】
【００４４】
本発明の電気掃除機は、真菌類や細菌類が繁殖しやすい電動送風機の近傍及び電動送風機室での真菌類や細菌類の繁殖を防止することができ、掃除機本体を常に清潔に保つことができるとともに、掃除機本体から発生する悪臭を十分に抑制することが可能となるため、家庭用の電気掃除機だけでなく、業務用の電気掃除機の分野・用途にも好適に適用することができる。
【符号の説明】
【００４５】
１  掃除機本体
２  電動送風機
３  電動送風機室
５  集塵室
６  冷却室
７  集塵袋
８  塵埃
１０  排気風
１１  吸引口
２０  帯電微粒子水
２１  静電霧化ユニット
２２  放熱フィン
２３  ペルチェ素子
２４  放電電極
２７  結露水
２８  制御基板
３０  カバー
４１  排気フィルター
４２  放出口
４３  ローラー
４４  床面
４５  吸込具
４６  係止部
４７  キャスターローラー
【図１】
2011234999.tif 000003
【図２】
2011234999.tif 000004
【図３】
2011234999.tif 000005
【図４】
2011234999.tif 000006
【図５】
2011234999.tif 000007